(57)【要約】      （修正有）【課題】自分で点眼を正確に行うことができる目薬容器を提供する。【解決手段】瓶体２０と、反射片２１と、瓶口２２と、蓋部２３とからなる。前記瓶体の頂端面は頂部を備え、前記瓶体の頂部は上に延伸してネック部を形成し、ネック部には孔部が設けられ、瓶口は孔部内に嵌め込まれ、瓶体には蓋部が被せられ、前記目薬容器のネック部下方は平面であり、反射片は前記瓶体の頂部に配置され、反射片は鏡の機能を備える。【選択図】図３
0003174654.tif 000002
【実用新案登録請求の範囲】
【請求項１】
瓶体と、反射片と、瓶口と、蓋部とからなる、自分で点眼を正確に行うことができる目薬容器であって、
前記瓶体の頂端面は頂部を備え、前記瓶体の頂部は上に延伸してネック部を形成し、ネック部には孔部が設けられ、瓶口は孔部内に嵌め込まれ、瓶体には蓋部が被せられ、
前記目薬容器のネック部下方は平面であり、反射片は前記瓶体の頂部に配置され、反射片は鏡の機能を備えることを特徴とする、自分で点眼を正確に行うことができる目薬容器。
【請求項２】
前記反射片は、瓶体と一体成型されることを特徴とする、請求項１に記載の自分で点眼を正確に行うことができる目薬容器。
【請求項３】
前記瓶体は、円形、或いは、四角形、或いは、多辺形であり、反射片は、瓶体頂部の形状に合わせて成型されることを特徴とする、請求項１に記載の自分で点眼を正確に行うことができる目薬容器。
【考案の詳細な説明】
【技術分野】
【０００１】
本考案は自分で点眼を正確に行うことができる目薬容器に関し、特に目薬の容器のネック部の下方に、鏡の機能をもつ反射片を設けることで、自分で素早く正確に点眼を行うことができる目薬容器に関する。
【背景技術】
【０００２】
図１を参照する。図１は、従来の目薬容器の斜視図である。従来の目薬容器１は、瓶体１０の上方がネック部１１を形成し、瓶体１０内部は、目薬を入れられるように中空であり、瓶体１０の頂端面に形成するネック部１１の中央は出水孔１１０を形成し、それにより、目薬を出水孔１１０から流出させることができる。
【０００３】
図２を参照する。図２は、従来の目薬容器の使用を説明した説明図である。従来の目薬容器の使用方法は、まず、瓶体１０を顔１２の上方まであげ、次に、ネック部１１を眼球１２０の方向へ向けて傾斜させる。この時、使用者は、自分の感覚に頼って、ネック部１１を眼球１２０の位置に大体合わせる。さらに、指で瓶体１０を軽く押すと、瓶体１０内の目薬１３が出水孔１１０から流れ出る。しかしながら、使用者が感覚に頼って出水孔１１０の位置を確認した場合、流れ出た目薬１３が眼球１２０の周囲にずれてしまい、目薬の無駄になるだけでなく、顔中、目薬１３だらけになってしまう。しかも、何回も点眼しないと目薬１３を眼球１２０に入れることができず、他人に代わりに目薬をさしてもらうことになり、使用する上で、非常に不便である。
【０００４】
従来の目薬容器１は、形状だけでなく、点眼の方法もずっと変わっておらず、使用する上で以下の欠点がある。
【０００５】
１、従来の目薬容器１を使用する際、使用者は、目で見て出水孔１１０を眼球１２０に合わせて、目薬１３をさす作業を行うことになるが、目薬１３をたらす時、目で見た角度と誤差が生じ、目薬１３が顔１２にたれてしまい、眼球１２０にうまく点眼することができず、目薬１３が無駄になるだけでなく、使用効率も悪い。
【０００６】
２、使用者は、目薬１３を何度もさしたことがある経験に頼って、肉眼で、出水孔１１０の角度を確認して目薬１３の点眼を行うが、理想的な角度を探すのに長い時間がかかる上、目が痛くなってまばたきをしてしまったり、首を上にあげていることで首が痛くなったりするため、点眼が失敗する確率が高くなる。
【０００７】
３、目薬１３の点眼の成功率を高めるためには、他人に代わりに目薬１３の点眼の作業を行ってもらわなければならず、自分でおこなうことができない。他人に目薬１３の点眼を行ってもらうと、自分で目薬１３の点眼を行うような快適さを得ることができず、不便である。
【考案の概要】
【考案が解決しようとする課題】
【０００８】
そこで、本考案は、自分で点眼を正確に行うことができる目薬容器を提供することを目的とする。
【課題を解決するための手段】
【０００９】
本考案による自分で点眼を正確に行うことができる目薬容器は、ネック部の下方に鏡の機能をもつ反射片を設けることにより、素早く正確に目薬を点眼することができる。前記目薬容器ネック部の中央には、瓶口がはめ込まれ、，瓶口頂端には出水孔が設けられ、それにより、目薬を出水孔から流出させることができる。ネック部下方は平面を形成して反射片が配置され、ネック部下方は、鏡のような反射面を形成し、使用者が点眼をするときに、出水孔を眼球に直接合わせることができる。
【考案の効果】
【００１０】
本考案を使用する際は、瓶口を目の眼球に合わせ、ネック部下方の反射片を介して自分の眼球が瓶口の出水孔の下方にあるかどうか正確に目で確認することができ、非常にすばやく正確に、且つ簡単に目薬を眼球にたらすことができる。したがって、点眼を失敗して目の周りに目薬をつけてしまい目薬を無駄にしてしまうのを避けることができる。しかも、極めて短い時間で目薬の点眼の作業を終わらせることができ、従来の目薬容器に存在した、何度点眼しても眼球に入らないという欠点を改善することができる。さらには、自分で点眼を行うことができるため、他人の手を煩わせることがない。このように、本考案は、優れた実用性と進歩性を有している。
【図面の簡単な説明】
【００１１】
【図１】従来の目薬容器の斜視図である。
【図２】従来の目薬容器の使用を説明した説明図である。
【図３】本考案の分解斜視図である。
【図４】本考案の斜視図である。
【図５】本考案の目薬容器の使用を説明した説明図である。
【図６】本考案の出水孔と眼球を合わせている状況を説明した説明図である。
【図７】本考案の目薬を眼球に入れた状況を説明した説明図である。
【図８】本考案の実施例２である。
【考案を実施するための形態】
【００１２】
（実施例１）
まず、図３を参照する。図３は、本考案の分解斜視図である。本考案は、瓶体２０と、反射片２１と、瓶口２２と、蓋部２３とからなる。瓶体２０は、中空の容器状であるとともに、目薬を入れることができる。瓶体２０の頂部２０１は、長方形の平面を形成し、反射片２１を置くことができる。また、頂部２０１の中央は、上に延伸してネック部２００を形成し、ネック部２００は孔部２０２を形成する。それにより、瓶口２２を孔部２０２内に嵌め込むことができる。本考案を組み立てる際は、まず、反射片２１を瓶体２０の頂部２０１に配置し、続けて、瓶口２２を孔部２０２に嵌め込み、次に、蓋部２３を瓶体２０の頂端面に被せることにより、瓶体２０の蓋をすることができる。また、反射片２１を頂部２０１に配置することで、頂部２０１は反射機能を備えることができる（例えば、鏡にする（図４に図示））。それにより、使用者が目薬をつけるときに、瓶口２２と目を正確に合わせやすくなり、目薬をつけるのが非常に素早く手軽に行えるようになる。
【００１３】
次に、図５と図６を参照する。まず、目薬容器２を顔３の上方まで高くあげ、瓶口２２を眼球３０に向くように傾斜させる。この時、頂部２０１の反射片２１（例えば、鏡）によって、使用者は、眼球３０を瓶口２２の出水孔２２０に正確に合わせることができる。このように、使用者は、反射片２１によって自分の眼球３０の位置をはっきり見ることができ、反射片２１を利用して、出水孔２２０と眼球３０の位置を相互に対応させることができる（図７に図示）。そして、瓶体２０の両側を押すと、目薬４が正確に眼球３０に入るため、目薬をさすのを非常に手軽に素早く行うことができる。特に、目薬４をさす過程において、使用者は、反射片２１の反射効果を利用するだけで、出水孔２２０と眼球３０を正確に合わせることができ、短時間で、目薬４を眼球３０に素早く正確にさすことができ、人の手を借りることなく自分で点眼を行えることができるため、非常に手軽で便利である。
【００１４】
（実施例２）
続けて図８を参照する。図８は、本考案は、実施例２を示している。瓶体２０は、円柱状を形成し、目薬を瓶体２０内に入れることができる。この時、頂部２０１は、瓶体２０の形状に合わせて、円形面にする。また、反射片２１は、頂部２０１の形状にあわせて頂部２０１に設け、同様に、頂部２０１に鏡の機能を備えさせることができる。それにより、使用者は、反射片２１を介して眼球３０を出水孔２２０に正確に合わせることができ、目薬４を眼球３０に正確且つ素早くさすことができる。しかも、他人の手を煩わせることなく、自分で目薬４をさす作業を手軽に行うことができる。なお、反射片２１の形状は、瓶体２０の頂部２０１に合わせて裁断され、どんな材質を用いてもよい。また、反射片２１は、上に置く方式以外にも、一体成型することもでき、さらには、シール状にすることもできる。重要なのは、鏡面を形成させて反射機能をもたせることである。
【００１５】
本考案は、以下の利点を有する。
【００１６】
１、本考案は、反射片２１の鏡の機能を利用することにより、使用者は、眼球３０を出水孔２２０に合わせて目薬４の点眼の動作を行うことができる。そのため、目薬の点眼の作業を素早く正確に行うことができるため、出水孔２２０が眼球３０からずれて目薬を無駄にすることがない。
【００１７】
２、本考案の頂部２０１に設けた反射片２１の鏡の機能により、使用者は手軽に目薬を点眼することができ、頭をあげて眼球３０を出水孔２２０に合わせるだけで、目薬をすぐにたらすことができる。従って、点眼にかかる時間が極めて短くなるだけでなく、目が痛くなったり、首が痛くなったりするのを避けることができる。
【００１８】
本考案の目薬容器２は、手軽に自分で目薬の点眼を行うことができるため、他人の手を煩わすことがなく、自分に必要な目薬の量を調整しながら自分で自由自在に点眼することができるため、効率が良い。
【符号の説明】
【００１９】
（従来技術）
１        目薬容器              
１０      瓶体                    
１１      ネック部                
１１０    出水孔
１２      顔                                    
１２０    眼球                    
１３      目薬  
（本考案）
２        目薬容器    
２０      瓶体
２００    ネック部
２０１    頂部
２０２    孔部
２１      反射片
２２      瓶口
２２０    出水孔
２３      蓋部  
３        顔    
３０      眼球    
４        目薬                                            
【図１】
0003174654.tif 000003
【図２】
0003174654.tif 000004
【図３】
0003174654.tif 000005
【図４】
0003174654.tif 000006
【図５】
0003174654.tif 000007
【図６】
0003174654.tif 000008
【図７】
0003174654.tif 000009
【図８】
0003174654.tif 000010